(57)【要約】      （修正有）【課題】ショーケースのナイトカバーを閉じた時でも、ドレン蒸発を加速させ、ドレン溢れを未然に防ぐ。【解決手段】冷凍冷蔵ショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却する冷凍冷蔵ショーケースにおいて、該ショーケースは商品出し入れ用の開口を閉ざすためのナイトカバーを有し、ナイトカバーの閉状態を検知すると、凝縮器用ファンの回転数を一時的且つ強制的に増加させ、凝縮器の通過風量を増やし、商品出し入れ用の開口をナイトカバーで閉ざした場合は、商品収納庫背面の冷気の噴出しを減じる。【選択図】図２
2013202276.tif 000002
【特許請求の範囲】
【請求項１】
断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却する冷凍冷蔵ショーケースにおいて、該ショーケースは商品出し入れ用の開口を閉ざすためのナイトカバーを有し、ナイトカバー閉状態を検知すると、凝縮器用ファンの回転数を一時的且つ強制的に増加させ、凝縮器を通過する風量を増し、ドレンの蒸発を加速させることを特徴とする冷凍冷蔵ショーケース。
【請求項２】
ドレン量の変化は、ドレン水位面を測定するセンサによって行い、ドレン量の変化より、圧縮機運転の出力を下げても凝縮器用ファンの速度は、圧縮機の運転に一定時間同期させずに動かすことを特徴とする請求項１記載の冷凍冷蔵ショーケース。
【請求項３】
ドレン量の変化は、ドレン水位面を測定するセンサによって行い、ドレン量の変化より、圧縮機運転の出力を下げた場合でも、凝縮器用ファンの速度を上げ、ドレン蒸発を落とさないことを特徴とする請求項１または請求項２記載の冷凍冷蔵ショーケース。
【発明の詳細な説明】
【技術分野】
【０００１】
本発明は、特にドレン水蒸発用を兼ねる凝縮器用ファンの制御の改善にかかる冷凍冷蔵ショーケースに関するものである。
【背景技術】
【０００２】
下記特許文献１にもあるが、図４に示すように、スーパーマーケットなどの店舗に設置されるオープンタイプの縦型ショーケースは、ショーケース本体の下部に形成される機械室３内に凝縮器２や圧縮機などにより構成される冷凍装置を配設し、ショーケース本体の背面側に設置した冷却器で冷却した冷気で商品収納庫１内に収納した商品を冷却するもので、冷気は循環される。図中４は蒸発皿、６は凝縮器用ファン、７は蒸発板、８はショーケースコントローラを示す。
【特許文献１】特開２００８−１８０５３２号公報
【０００３】
前記蒸発皿４は冷凍サイクルの一部を構成する凝縮器の後方に設けられた凝縮器用ファン６の背面に配置し、凝縮器用ファン６を蒸発皿４上のドレン水の蒸発促進に兼用している。
【０００４】
図中５は、ドレン水の満水を検知する水位センサで、超音波センサを使用し、この水位センサと水面との距離を測定することで水位を計測する。蒸発皿４の上方に水位センサ５を設置し、ここから水面に向けて発信した超音波が水面に反射して戻り受信されるまでの時間を計測して水位センサ５と水面との距離、すなわち水位を計測する。
【０００５】
また、下記特許文献２は、ドレン水蒸発用の蒸発皿と、前記蒸発皿のドレン水を蒸発させる蒸発用ヒータと、前記蒸発皿の水位を検知する検知センサを設け、この検知センサで検知した水位情報に基づき、所定時間前記蒸発用ヒータには通電せず、前記凝縮器用ファンを高速回転して前記蒸発皿に送風し、ドレン水の蒸発促進を行い、所定時間経過後蒸発用ヒータに通電するように制御するもので、蒸発皿の水位を検知センサで検知してドレン水を蒸発させるため第１段階とし、兼用凝縮器用ファンを通常回転以上に強制的に回転数を上げ、ドレン水の蒸発の促進を図り、第２段階として、所定時間経過後に蒸発用ヒータに通電して蒸発を促進させるようにしたので、省エネルギー化が図れる。
【特許文献２】特許第４２４６５８５号公報
【０００６】
なお、顧客の来店が少なくなる夜間や閉店時では、ショーケースの前面開口部は、ナイトカバーによって閉塞するので。外気の侵入や冷気の漏洩が抑制され、貯蔵室内における熱負荷が減少するため、圧縮機の運転率が低下し、省エネ運転を実行することができる。
【０００７】
下記特許文献３は、ナイトカバーによって開口部が閉塞された際に、安定して省エネ運転を実行することができるとして提案されたもので、圧縮機、凝縮器、冷却器を含む冷媒回路と、前記圧縮機及び凝縮器を空冷するための凝縮器用ファンを備えた低温ショーケースにおいて、前記圧縮機の通電電流を検出する電流検出手段と、前記圧縮機、凝縮器用ファンの運転を制御する制御装置とを備え、該制御装置は、前記電流検出手段が検出する前記圧縮機の通電電流に基づき、該通電電流が低い場合は前記凝縮器用ファンの回転数を低下させ、前記圧縮機の通電電流が高い場合は前記凝縮器用ファンの回転数を上昇させる。
【特許文献３】特開２０１０−７１６１２号公報
【発明の概要】
【発明が解決しようとする課題】
【０００８】
ショーケースが設置される環境、及びドレン蒸発板の劣化状態によってはドレン発生量が多くなる場合がある。そして、この状態でショーケースに設けられた外気侵入を防止する為のナイトカバーをスーパー閉店時などに閉じるとショーケースの負荷が軽くなり、ドレン発生量も減るが、今まで蓄積されたドレンが蒸発するまでに溢れてしまうという問題がある。
【０００９】
特に、ナイトカバーによって開口部が閉塞された際に、安定して省エネ運転を実行することができるとして、圧縮機の通電電流に基づき凝縮器用ファンの回転数を低下させると、ドレン水の蒸発が低下してしまうおそれがある。
【００１０】
本発明の目的は前記従来例の不都合を解消し、ナイトカバーを閉じた時でも、蒸発皿（ドレンパン）でのドレンの蒸発を加速させ、ドレン溢れを未然に防ぐことができる冷凍冷蔵ショーケースを提供することにある。
【課題を解決するための手段】
【００１１】
前記目的を達成するため請求項１記載の本発明は、断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却するショーケースにおいて、該ショーケースは商品出し入れ用の開口を閉ざすためのナイトカバーを有し、ナイトカバー閉状態を検知すると、凝縮器冷却用のファンの回転数を一時的且つ強制的に増加させ、凝縮器を通過する風量を増し、ドレンの蒸発を加速させることを要旨とするものである。
【００１２】
請求項１記載の本発明によれば、例えば、内蔵形ショーケースに設けられたナイトカバー開閉状態を検知する「スイッチ」にて、ナイトカバー閉状態を検知すると、ショーケース制御装置からの指示によりショーケースに複数個設けられた回転数増減が可能な凝縮器冷却用のファン（ＤＣモータ）の回転数を一時的且つ強制的に増加（ＵＰ）させ、凝縮器を通過する風量を増し、ドレンの蒸発を加速させ、ドレン溢れを未然に防ぐことが可能となる。
【００１３】
請求項２記載の本発明は、ドレン量の変化は、ドレン水位面を測定するセンサによって行い、ドレン量の変化より、圧縮機運転の出力を下げても凝縮器冷却用のファンの速度は、圧縮機の運転に一定時間同期させずに動かすものとすることを要旨とするものである。
【００１４】
請求項３記載の本発明は、ドレン量の変化は、ドレン水位面を測定するセンサによって行い、ドレン量の変化より、圧縮機運転の出力を下げた場合でも、凝縮器冷却用のファンの速度を上げ、ドレン蒸発を落とさないことを要旨とするものである。
【００１５】
請求項２および請求項３記載の本発明によれば、ドレン量の変化をセンサによって検知した場合は、圧縮機の運転が低下させて圧縮機の運転率を低下させて省エネ運転を実行する場合でも凝縮器冷却用のファンの速度は、圧縮機の運転に一定時間同期させずに動かすので、確実にドレンの蒸発を継続させることができる。
【発明の効果】
【００１６】
以上述べたように本発明の冷凍冷蔵ショーケースは、ナイトカバーを閉じた時でも、蒸発皿（ドレンパン）でのドレンの蒸発を加速させ、ドレン溢れを未然に防ぐことができるものである。
【発明を実施するための形態】
【００１７】
以下、図面について本発明の実施の形態を詳細に説明する。図１は本発明の冷凍冷蔵ショーケースの１実施形態を示すブロック図、図２は同上フローチャートで、冷凍冷蔵ショーケースとしては、前記従来例を示す図３で示したような断熱壁で形成されるショーケース本体の内部を、商品出し入れ用の開口を有し、商品の陳列棚を有する商品収納庫１と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却するものである。
【００１８】
ショーケース本体下部の機械室３に凝縮器用ファン６や蒸発皿４やショーケースコントローラ８を設置し、蒸発皿４は冷凍サイクルの一部を構成する凝縮器の後方に設けられた凝縮器用ファン６の背面に配置し、凝縮器用ファン６を蒸発皿４上のドレン水の蒸発促進に兼用している。
【００１９】
また、超音波センサを使用してドレン水の満水を検知する水位センサ５を蒸発皿４の上方に設置し、ここから水面に向けて発信した超音波が水面に反射して戻り受信されるまでの時間を計測して水位センサ５と水面との距離、すなわち水位を計測する。
【００２０】
図示は省略するが、夜間などの閉店時には商品出し入れ用の開口を閉じて庫内への外気の侵入を防ぐためナイトカバー１０を上部に巻き取り収納して備えるが、図３に示すようにナイトカバー１０で閉ざしたことの検知をおこなうスイッチ１１を設けた。
【００２１】
このスイッチ１１は、ナイトカバー１０のフック部分１０ａの磁石１２と、ショーケースの本体側に設けるものとして、前記フック部分１０ａのフック保持部分１４の近傍に装備した近接センサ１３とで構成する。
【００２２】
近接センサ１３にはホールＩＣやリードスイッチ等が利用でき、磁石１２が近接した場合はＯＮ、離れた場合にはＯＦＦとなることで、ナイトカバー１０の開閉を検知する。
【００２３】
図１中、１５はショーケースコントローラ８（図４参照）の中にあるショーケース制御装置で、前記ナイトカバー１０の開閉を検知するスイッチ１１の検知信号をこのショーケース制御装置１５に導入し、ショーケース制御装置１５からの出力で凝縮器用ファン６を制御する。
【００２４】
図２に示すように、ショーケース制御装置１５でナイトカバー１０の閉を検知した場合、圧縮機通電電流が設定値以下であるか否かを見る。圧縮機通電電流が設定値以下でない場合、そのままの運転状態と保持する。
【００２５】
圧縮機通電電流が設定値以下である場合、ドレン量の変化をドレン水位面を測定する水位センサ５で検知し、水位レベルＷよりもドレン量Ｄが小さい場合には凝縮器用ファン６の回転数Ｎを見る。
【００２６】
凝縮器用ファン６の回転数Ｎがｍａｘ（最大値）よりも少ない場合、凝縮器用ファン６の回転数Ｎを１０％ｕｐさせ、３分間様子を見る。その後、同様に水位レベルＷよりもドレン量Ｄが小さいか否かを見る手順に戻る。
【００２７】
このように、ドレン量の変化は、ドレン水位面を測定するセンサによって行い、ドレン量の変化より、圧縮機運転の出力を下げても凝縮器冷却用のファンの速度は、圧縮機の運転に一定時間同期させずに動かすものとし、圧縮機運転の出力を下げた場合でも、ドレン量の変化より、凝縮器冷却用のファンの速度を上げ、ドレン蒸発を落とさない。
【００２８】
なお、凝縮器用ファン６の回転数Ｎがｍａｘ（最大値）の場合は、それ以上回転数を上げてドレン蒸発を促すことができないので、ランプやブザー等の外部警報へ出力し、警告をおこなったのち、運転を停止する。
【００２９】
一方、ドレン量の変化をドレン水位面を測定する水位センサ５で検知し、水位レベルＷよりもドレン量Ｄが小さくない場合、そして、凝縮器用ファン６の回転数Ｎがｍａｘ（最大値）よりも少ない場合、凝縮器用ファン６の回転数Ｎを１０％ｄｏｗｎさせ、３分間様子を見る。その後、同様に水位レベルＷよりもドレン量Ｄが小さいか否かを見る手順に戻る。
【００３０】
前記凝縮器用ファン６の回転数Ｎがｍａｘ（最大値）の場合、その回転数を保持する。
【図面の簡単な説明】
【００３１】
【図１】本発明の冷凍冷蔵ショーケースの１実施形態を示すブロック図である。
【図２】本発明の冷凍冷蔵ショーケースの１実施形態を示すフローチャートである。
【図３】ナイトカバーの開閉を検知するスイッチの説明図である。
【図４】オープン型の冷凍冷蔵ショーケースの斜視図である。
【符号の説明】
【００３２】
１  商品収納庫                      ２  凝縮器
３  機械室                          ４  蒸発皿
５  水位センサ                      ６  凝縮器用ファン
７  蒸発板                          ８  ショーケースコントローラ
１０  ナイトカバー                １０ａ  フック部分
１１  スイッチ                    １２  磁石
１３  近接センサ                  １４  フック保持部分
１５  ショーケース制御装置
【図１】
2013202276.tif 000003
【図２】
2013202276.tif 000004
【図３】
2013202276.tif 000005
【図４】
2013202276.tif 000006